(57)【要約】【課題】白熱電球用の識別記号をユーザーが認識するのが容易であり、かつ耐熱強度に優れた白熱電球包装製品を提供する。【解決手段】白熱電球包装製品１０は、特定品種を表す識別番号６および固有の記号７が近接して刻印された口金１ａを有する白熱電球１と；この白熱電球１を包装する容器本体３を有し、口金１ａに刻印された識別番号６が表示された表示部４を備えた包装体２と；を具備している。特定品種を表す識別番号６が固有の記号７に近接しているので白熱電球１の形名またはロット番号とは区別して識別番号６が認識され、また識別番号６および固有の記号７が口金１ａに刻印されているので点灯中バルブが高温となっても識別番号６および固有の記号７は劣化せずにいつでも識別記号６を認識することが可能となり、ユーザーが白熱電球用の識別記号６を容易に認識でき、かつ耐熱強度に優れた白熱電球包装製品１０を提供することができる。【選択図】図１
2006096413.tif 000002
【特許請求の範囲】
【請求項１】
特定品種を表す識別番号および固有の記号が近接して刻印された口金を有する白熱電球と；
この白熱電球を包装する容器本体を有し、口金に刻印された識別番号が表示された表示部を備えた包装体と；
を具備していることを特徴とする包装された白熱電球製品。
【請求項２】
包装体は、吊下げを可能とするフック部を有し、表示部にはフック部を用いて包装体を吊下げた状態で外観上識別可能なように識別番号が表示されていることを特徴とする請求項１記載の白熱電球包装製品。
【請求項３】
表示部には、識別番号および固有の記号が口金に刻印された形態と同様の形態で表示されていることを特徴とする請求項１または２記載の白熱電球包装製品。
【請求項４】
固有の記号は、識別番号を囲む矩形状の枠線であることを特徴とする請求項１ないし３いずれか一記載の白熱電球包装製品。
【発明の詳細な説明】
【技術分野】
【０００１】
本発明は、包装容器に包装され、特定品種を表す識別番号を表示する表示部を備えた白熱電球包装製品に関する。
【背景技術】
【０００２】
従来、白熱電球または蛍光ランプ等の管球類は、ワット、寸法、光色等の品種が多数存在しており、これらの品種カテゴリ毎に決められた識別記号によって「ＫＲ１１０Ｖ５４ＷＣＡ」等の形名が設定されていた。この形名を見れば、ランプの種別、電気特性およびランプ光出力等の管球機能が一目で判別できるようになっている。このランプの形名は、ランプおよびランプの包装容器に表示されている。したがって、ランプユーザーは、ランプ交換時にランプに表示されている形名を読んで自己が必要としているランプの品種を特定し、販売店で選定し、または販売店に対して交換用のランプを注文し、購入することが多い。
【０００３】
しかし、ランプ商品の多様化によりランプ品種が多くなってきている。このため、ランプの形名も種々の識別記号で表示する必要があり、必然的に形名を表す文字数が多くなり、ランプ形名は１０文字を超える長さで表示することが多い。
【０００４】
ところが、小さな管球の口金周りやガラスバルブ上など、狭い場所での表示は、おのずと字体が小さくなり、ユーザーにとっては形名表示が分かりにくく、読みにくいという問題がある。また、形名を表示することできる面積が限られてしまうので、形名の一部を省略して表示しているもののある。
【０００５】
また、ランプ形名が品種カテゴリ毎に決められた識別記号の組合せによって表されているので、ランプのモデルチェンジなどによってランプ構成または電気特性等が一部変更されると形名も同時に変更され、新商品の入れ替わりが激しい昨今では形名変更の機会がより多くなる。このため、ユーザーがモデルチェンジ後の品種を購入しようとした場合、モデルチェンジ前と同一の器具への使用が問題ない場合であっても、形名が異なるためユーザーから見ると全く別のランプと認識されてしまい、ランプ交換時に適用可能な品種を特定するのが困難になるという問題がある。
【０００６】
ところで、交換用のランプの品種をユーザーが特定しやすくするために、形名に代えて複数項目の記号を蛍光ランプのバルブ表面に大きく表示する構成が知られている（特許文献１参照）。この表示方法によれば、ランプ形名のように長くて小さな文字列を読まなくても、別の文字の組合せで決められた少ない文字数で表示が可能な識別記号とすることで、識別記号を大きく表示でき、ユーザーが識別記号を判別しやすくなるという利点がある。
【特許文献１】特開平４−１１４８７８号公報
【発明の開示】
【発明が解決しようとする課題】
【０００７】
しかしながら、上記特許文献１は、蛍光ランプのバルブ表面に識別記号を表示するものであり、点灯中バルブが高温となる白熱電球には適していない。なぜなら、バルブが高温になると、表示用のインクが劣化し、識別記号がかすれてユーザーが識別記号を認識するのが困難になるためである。また、小形の白熱電球の場合には、バルブに識別記号を印刷すると識別記号が影となって明るさが低下したり、識別記号が目立ち過ぎて商品性が低下するという問題もある。
【０００８】
本発明は、上記問題点に鑑みなされたものであり、白熱電球用の識別記号をユーザーが認識するのが容易であり、かつ耐熱強度に優れた白熱電球包装製品を提供することを目的とする。
【課題を解決するための手段】
【０００９】
請求項１の白熱電球包装製品は、特定品種を表す識別番号および固有の記号が近接して刻印された口金を有する白熱電球と；この白熱電球を包装する容器本体を有し、口金に刻印された識別番号が表示された表示部を備えた包装体と；を具備していることを特徴とする。
【００１０】
口金は金属製であり、口金の表面の一部に硬度の高い印字型の押圧またはレーザーなどにより識別番号および固有の記号が刻印されている。
【００１１】
識別番号は、２桁ないし４桁からなる数字を組合せたもので、番号によって白熱電球の特定品種が決められている。なお、必要に応じてアルファベットなどの数字以外の文字を組合せて識別番号を構成してもよい。識別番号の数字が５桁以上になるとユーザーが識別番号を記憶しにくい。また、白熱電球の品種は多数存在しているので、識別番号の桁数は２桁ないし４桁が好ましく、最適には３桁以内である。
【００１２】
固有の記号は、識別番号に近接して刻印されているものであり、特定品種を表している識別番号を白熱電球の形名またはロット番号とは区別して認識させるためのものである。したがって、固有の記号は識別番号が形名とは異なる表示部分であることを認識可能な程度に近接して刻印する必要がある。なお、固有の記号は、複雑な特殊な記号よりも罫線や枠線、丸や四角などの単純な形状の記号の方が金属製の口金へ刻印するのに都合がよい。
【００１３】
白熱電球を包装する容器本体は、ダンボール紙、ボール紙または樹脂等からなる箱状の他、ビニール袋等であってもよい。表示部は、識別番号が表示可能であれば、容器本体と一体であってもよく、また容器本体とは別体であってもよい。
【００１４】
請求項２は、請求項１記載の白熱電球包装製品において、包装体は、吊下げを可能とするフック部を有し、表示部にはフック部を用いて包装体を吊下げた状態で外観上識別可能なように識別番号が表示されていることを特徴とする。
【００１５】
フック部は、容器本体および表示部のいずれに形成されていてもよい。フック部は、吊下げ棚に設けられた鉤状の支持フックに挿通可能な穴によって形成されていてもよく、支持フックに吊下げ可能に係合する係合フックによって形成されていてもよい。
【００１６】
請求項３は、請求項１または２記載の白熱電球包装製品において、表示部には、識別番号および固有の記号が口金に刻印された形態と同様の形態で表示されていることを特徴とする。
【００１７】
表示部には、口金に刻印されたものと同じ識別番号および固有の記号が表示部に表示されることになり、表示部に表示された識別番号が白熱電球の特定品種を表すことが容易に理解できる。
【００１８】
請求項４は、請求項１ないし３いずれか一記載の白熱電球包装製品において、固有の記号は、識別番号を囲む矩形状の枠線であることを特徴とする。
【００１９】
固有の記号が識別番号を囲む矩形状の枠線で表示されていることで、刻印が簡単になり、また表示部への表示もシンプルで認識しやすくなる。
【発明の効果】
【００２０】
請求項１の発明によれば、特定品種を表す識別番号が固有の記号に近接しているので白熱電球の形名またはロット番号とは区別して識別番号が認識され、また識別番号および固有の記号が口金に刻印されているので点灯中バルブが高温となっても識別番号および固有の記号は劣化せずにいつでも識別記号を認識することが可能となり、ユーザーが白熱電球用の識別記号を容易に認識でき、かつ白熱電球包装製品を提供することができる。
【００２１】
請求項２の発明によれば、複数種の白熱電球包装製品を包装体が吊下げ棚に吊下げられた状態で店頭に設置した場合に、表示部の識別番号が外観上識別可能なように表示されるので、ユーザーが店頭で識別番号を容易に判別でき、希望の白熱電球包装製品を選んで購入することが容易になる。
【００２２】
請求項３の発明によれば、表示部に口金に刻印されたものと同じ識別番号および固有の記号が表示部に表示されるので、ユーザーは表示部に表示された識別番号が白熱電球の特定品種を表していることを容易に認識することができる。
【００２３】
請求項４の発明によれば、固有の記号が識別番号を囲む矩形状の枠線で表示されているので、固有の記号の刻印が簡単であり、また表示部への表示もシンプルでユーザーは識別番号を容易に認識することができる。
【発明を実施するための最良の形態】
【００２４】
以下、本発明の一実施形態を図面を参照して説明する。
【００２５】
図１は本発明の第１の実施形態の白熱電球包装製品を示す正面図、図２は図１の白熱電球包装製品に内包されている白熱電球の口金部分を拡大して示す正面図である。
【００２６】
１０は白熱電球包装製品であり、口金を有する白熱電球１および包装体２から構成されている。包装体２は、白熱電球１が封入された透明ビニール袋製の容器本体３および頂部から折り畳んだ２つ折のボール紙からなる表示部４から構成されている。表示部４は、ボール紙を頂部から折り畳むことで容器本体３の開口を挟み込んで封止し、ホッチキス止めされている。また、表示部４の上部中央には、店舗に設置される商品陳列用の吊下げ棚に設けられた鉤状の支持フックに挿通可能な略逆Ｔ字状の穴からなるフック部５が形成されている。
【００２７】
白熱電球１には金属製のＥ形口金１ａが装着されており、口金１ａの頂部の口金アイレット側周縁部の表面に識別番号６および識別番号６に近接した固有の記号７が識別番号６を囲む矩形状の枠線としてレーザーで刻印されている。識別番号６は、白熱電球の特定品種を形名に代えて簡略的に表す数字列である。なお、本実施形態では、識別番号６は３桁の数字「１２２」として表示されている。
【００２８】
この識別番号６および固有の記号７は、表示部４が吊下げ棚の支持フックに吊下げられた商品陳列状態で、来店したユーザーが外観上識別できるような見やすい位置および方向で表示されている。このように表示することによって、例えば複数種の白熱電球包装製品１０が吊下げ棚に吊下げられている場合には、ユーザーが店頭で識別番号６を容易に判別でき、購入を希望している品種の白熱電球包装製品を容易に選ぶことができる。このとき、識別番号６の数字の順に並べて吊下げ棚の白熱電球包装製品１０を支持フックに吊下げるとユーザーがより判別しやすくなる。
【００２９】
本実施形態の白熱電球包装製品１０によれば、特定品種を表す識別番号６が固有の記号７に近接しているので白熱電球１の形名またはロット番号とは区別して識別番号６を認識することができる。また、識別番号６および固有の記号７が口金１ａに刻印されているので、点灯中バルブが高温となっても識別番号６および固有の記号７は劣化せずにいつでも識別記号を認識することが可能となって識別記号の耐熱性が向上する。したがって、ユーザーが寿命となった白熱電球の識別記号６を容易に認識することのできる白熱電球包装製品１０を提供することができる。
【００３０】
さらに、固有の記号７が識別番号を囲む四角形の枠線で表示されているので、刻印が簡単になる。
【００３１】
また、本実施形態の白熱電球包装製品１０は、識別番号６を上記のように口金６および表示部４に表示することによってユーザーが同一商品を再度買い求めるときに簡単に商品を選定することができる。特に、高齢者が人口に占める割合が多くなる今後は、ユーザーへの商品情報を分かりやすくする必要があるが、識別番号６を上記のように表示することによって、最初に商品を購入したユーザーは、口金６または表示部４に表示された識別番号６を基に３桁の数字のみで商品の区別ができる。また長期間使用している間に商品のモデルチェンジによって形名が変更された場合でも、同一機能を有する代替品に同じ識別番号を付しておけば、ユーザーが商品選別に迷うことはない。
【００３２】
さらに、販売店側も従来の形名で商品の発注、在庫管理を行うのではなく、識別番号６によって管理を行うことが可能なので、発注、棚卸時におけるコンピュータ端末へのコード入力作業が容易となり、またユーザーからの商品情報の問合せにも識別番号６で対応することが可能となり、販売業務が迅速化し効率化を図ることができる。
【００３３】
なお、点灯時のバルブ温度が１００℃以下の白熱電球の場合には、インクの劣化が少ないので、識別番号６および固有の記号７をバルブ表面に印刷してもよい。また、点灯時のバルブ温度が１００℃を超えるようなハロゲン電球または高ワットの白熱電球であっても、セラミック製の口金表面であれば比較的温度が低く、インクの馴染みも良好なので、セラミック製口金の表面に識別番号６および固有の記号７を印刷するようにしてもよい。
【００３４】
図３は、本発明の第２の実施形態の白熱電球包装製品を示す正面図である。なお、本実施形態においては、図１と同一の構成については同一符号を付し、その詳細な説明は省略する。
【００３５】
本実施形態の表示部４には、図１の口金１ａに刻印されたものと同じ識別番号６および固有の記号７が表示されている。このように表示部４に表示することで、ユーザーは識別番号６が白熱電球の特定品種を表していることを一層容易に理解することができる。また表示部４への固有の記号７の表示もシンプルであり、かつ認識しやすくなる。
【００３６】
図４は、本発明の第３の実施形態の白熱電球包装製品に内包されている白熱電球の口金部分を拡大して示す正面図である。なお、本実施形態においては、図２と同一の構成については同一符号を付し、その詳細な説明は省略する。
【００３７】
本実施形態の金属製のＥ形口金１ａには、バルブ側周縁部の表面に識別番号６および識別番号６に近接した固有の記号７が識別番号６を囲む矩形状の枠線としてレーザーで刻印されている。
【図面の簡単な説明】
【００３８】
【図１】本発明の第１実施形態の白熱電球包装製品を示す正面図。
【図２】図１の白熱電球包装製品に内包されている白熱電球の口金部分を拡大して示す正面図。
【図３】本発明の第２実施形態の白熱電球包装製品を示す正面図。
【図４】本発明の第３実施形態の白熱電球包装製品の白熱電球の口金部分を拡大して示す正面図。
【符号の説明】
【００３９】
１…白熱電球、２…包装体、３…容器本体、４…表示部、５…フック部、６…識別番号、７…固有の記号、１０…白熱電球包装製品。
【図１】
2006096413.tif 000003
【図２】
2006096413.tif 000004
【図３】
2006096413.tif 000005
【図４】
2006096413.tif 000006